(57)【要約】【課題】ネジ止めやダボ等に対しても十分な強度を有する不燃性に優れた不燃板を提供するとともに、この不燃板を使用することにより不燃性に優れた収納を提供する。【解決手段】側板８と底板９は、それぞれの第１層も第３層もガラス繊維質層／マグネシアセメント層／ガラス繊維質層の構成とした不燃板４であり、第２層の不燃板７を石膏ボードとした積層不燃板として構成し、側板８には第１層の不燃板４及び第２層の不燃板７にダボ用の穴を形成し、底板９の第２層の不燃板７の石膏ボードにはダボ用の穴を形成し、それぞれのダボ用穴に接着剤を充填してダボ１０により側板８と底板９を固定する。このように構成された収納に内側から側板８にネジ１１を使用して蝶番１２をネジ止めして開閉扉を取り付け、収納の視認できる面には所望の化粧層１３を設ける。【選択図】　図７
2004008448.tif 000002
【特許請求の範囲】
【請求項１】
３種類の不燃板を積層して３層構造とした積層不燃板であって、第１層の不燃板と第３層の不燃板が同一構成の不燃板であることを特徴とする積層不燃板。
【請求項２】
第１層及び第３層の不燃板が、少なくともメラミン樹脂層／水酸化アルミニウム層／メラミン樹脂層で構成された不燃板である請求項１に記載の積層不燃板。
【請求項３】
第１層及び第３層の不燃板が、少なくともガラス繊維質層／マグネシアセメント層／ガラス繊維質層で構成された不燃板である請求項１に記載の積層不燃板。
【請求項４】
３種類の不燃板を積層して３層構造とした積層不燃板であって、第１層の不燃板と第３層の不燃板が異なる構成の不燃板であることを特徴とする積層不燃板。
【請求項５】
第１層の不燃板が少なくともメラミン樹脂層／水酸化アルミニウム層／メラミン樹脂層で構成された不燃板であり、第３層の不燃板が少なくともガラス繊維質層／マグネシアセメント層／ガラス繊維質層で構成された不燃板である請求項４に記載の積層不燃板。
【請求項６】
第２層の不燃板が、石膏ボード、ケイ酸カルシウム板、火山性ガラス質板の中から選択された不燃板である請求項１から５のいずれかに記載の積層不燃板。
【請求項７】
請求項１から６のいずれかに記載の積層不燃板により構成されたことを特徴とする収納。
【発明の詳細な説明】
【０００１】
【発明の属する技術分野】
本発明は、不燃板に関し、更に詳細には住宅内のキッチン等に使用する収納に関する。
【０００２】
【従来の技術】
従来、キッチン等の火気を使用する場所の周辺の収納には、消防法や火災予防条例により不燃板を使用することが義務づけられている。
この不燃板は、所定厚さ以上の厚さを有し、上記法令に基づく不燃試験の基準値を満足するものが不燃板として認定されている。
例えばキッチンにおいて、コンロ上方のフード脇に設置する収納では、フードに近い側の側板に使用する不燃板を９ｍｍ以上の厚さとし、底板に使用する不燃板を５ｍｍ以上の厚さとして施工されている。
【０００３】
通常、不燃板の材料としては、石膏ボード、ケイ酸カルシウム板、火山性ガラス質材、水酸化アルミニウム、マグネシアセメント等の各種不燃材料を挙げることができる。
また、不燃板としても種々検討されており、例えば特許第２５０９０７１号公報に記載されている無機建築板のように、無機繊維と鉱物質繊維とを結着剤により形成した外層部と、無機繊維と無機発泡体とを結着剤により形成した中間層により不燃板、準不燃板としたものもある。
しかしながら、これらの材質によって作製された不燃板板や無機建築板は、仕切り板や天井等には使用されるものの、比較的脆いためにネジ止めやダボを使用して作製される収納等には適さなかった。
【０００４】
そのため、火気を使用するキッチンの収納等では、ケイ酸カルシウム板に木質ボードを貼り合わせて収納とする場合が一般的であり、このケイ酸カルシウム板が５ｍｍの場合には底板として使用し、９ｍｍの場合には側板として使用し、これらに６〜９ｍｍ程度の木質ボードを貼り合わせてネジ止めやダボにより収納としたものである。
【０００５】
あるいは、水酸化アルミニウム層を芯材としてその表面にメラミン樹脂層を配置したサンドイッチ構造の５ｍｍ（底板の場合）〜９ｍｍ（側板の場合）程度の不燃板を使用し、この不燃板に６〜９ｍｍ程度の木質ボードを貼り合わせてネジ止めやダボにより収納としたものもある。
【０００６】
しかしながら、いずれの場合においてもネジ止めやダボにより収納を作製するために、やむを得ず木質ボードを使用せざるを得なかった。しかも、底板と側板との接合部においては、木質ボード部分が外表面に露出しないように不燃板の長さよりも短めに切削加工する必要も生じ、加工性にも問題があった。
【０００７】
【発明が解決しようとする課題】
本発明が解決しようとする課題は、ネジ止めやダボ等に対しても十分な強度を有する共に、加工性、不燃性に優れた不燃板を提供し、さらに、この不燃板を使用することにより不燃性に優れた収納を提供するものである。
【０００８】
【課題を解決するための手段】
本発明者等は、従来から知られている石膏ボード、ケイ酸カルシウム板、火山性ガラス質板（ＪＩＳ　Ａ　５４４０「不燃火山性ガラス質複層板」）等の比較的脆い不燃板であっても、その両側にこれらよりも堅い不燃板を設けることによりネジ止めやダボに対して十分な強度を確保できることを見出し、しかもこれらは全て不燃板であることからキッチン等の火気を使用する場所で必要とされる収納でも十分な不燃性が得られることを知見した。
【０００９】
すなわち本発明は、３種類の不燃板を積層して３層構造とした積層不燃板であって、第１層の不燃板と第３層の不燃板が同一構成の不燃板であることを特徴とする積層不燃板を提供するものである。
また、本発明は、３種類の不燃板を積層して３層構造とした積層不燃板であって、第１層の不燃板と第３層の不燃板が異なる構成の不燃板であることを特徴とする積層不燃板を提供するものである。
また、本発明は、上記した積層不燃板により構成されたことを特徴とする収納を提供するものである。
【００１０】
【発明の実施の形態】
以下、図面を参照しながら本発明を詳細に説明する。
図１は、本発明に使用される不燃板の一例を示す模式断面図である。
この例の不燃板１は、水酸化アルミニウム層２の両面にメラミン樹脂層３を設けたサンドイッチ構造である。この水酸化アルミニウム層２は、水酸化アルミニウムとフェノール樹脂とを熱を加えながら高圧プレスを行う、いわゆる熱圧成形加工により作製することができる。
また、メラミン樹脂層３は、メラミン樹脂を含浸させた紙質材を上記水酸化アルミニウム層２の両面に貼り合わせ、熱圧成形して形成することができる。
【００１１】
図２は、本発明に使用される不燃板の他の例を示す模式断面図である。
この例の不燃板４は、マグネシアセメント層５の両面にガラス繊維質層６を設けたサンドイッチ構造である。
この不燃板は、ガラス繊維や、あるいは必要に応じて不織布等を併用してシート状にした物の上に、酸化マグネシウム、塩化マグネシウム、硫酸マグネシウム等により作製されるマグネシアセメントを塗布して、さらに前記と同様にガラス繊維や、あるいは必要に応じて不織布等を併用したシート状の物を設けて、ロールプレスすることにより作製することができる。
【００１２】
図３は、本発明の積層不燃板の一実施形態を示す模式断面図である。
この実施形態によれば、石膏ボード、ケイ酸カルシウム板、火山性ガラス質板等の不燃板の両面に、上記不燃板１を貼り合わせた構造となっている。
すなわち、第１層の不燃板が上記不燃板１であり、第２層の不燃板７が石膏ボード、ケイ酸カルシウム板、火山性ガラス質板（ＪＩＳ　Ａ　５４４０「不燃火山性ガラス質複層板」）等であり、第３層の不燃板が上記不燃板１となる構造で、第１層の不燃板と第３層の不燃板とが同一構成となっている。
【００１３】
図４は、本発明の積層不燃板の他の実施形態を示す模式断面図である。
この実施形態によれば、石膏ボード、ケイ酸カルシウム板、火山性ガラス質板等の不燃板の両面に、上記不燃板４を貼り合わせた構造となっている。
すなわち、第１層の不燃板が上記不燃板４であり、第２層の不燃板７が石膏ボード、ケイ酸カルシウム板、火山性ガラス質板（ＪＩＳ　Ａ　５４４０「不燃火山性ガラス質複層板」）等であり、第３層の不燃板が上記不燃板４となる構造で、第１層の不燃板と第３層の不燃板とが同一構成となっている。
【００１４】
図５は、本発明の積層不燃板の他の実施形態を示す模式断面図である。
この実施形態によれば、石膏ボード、ケイ酸カルシウム板、火山性ガラス質板等の不燃板の両面に、上記不燃板１と上記不燃板４を貼り合わせた構造となっている。
すなわち、第１層の不燃板が上記不燃板１であり、第２層の不燃板７が石膏ボード、ケイ酸カルシウム板、火山性ガラス質板（ＪＩＳ　Ａ　５４４０「不燃火山性ガラス質複層板」）等であり、第３層の不燃板が上記不燃板４となる構造で、第１層の不燃板と第３層の不燃板とが異なる構成となっている。
【００１５】
上記いずれの実施形態の積層不燃板においても、視認される表面には塗装や化粧紙等の化粧層を適宜設けることが好ましい。
なお、石膏ボードには不燃仕様のものや準不燃仕様のものがあり、本発明による積層不燃板にはいずれの仕様のものでも構わないが、特に不燃仕様のものが好適である。
また、ケイ酸カルシウム板には、ケイ酸カルシウムの比重が０．３〜１．５のように種々のものがあるが、要求特性に応じて適宜選択して使用すれば良く、後述するように収納の底板として本発明の積層不燃板を使用する際には、ダボ用の穴を形成し易く、かつ堅さの点から、比重が０．８〜１．２のケイ酸カルシウム板を使用することが好ましい。
さらに、火山性ガラス質板（ＪＩＳ　Ａ　５４４０「不燃火山性ガラス質複層板」）は火山灰をフェノール樹脂と共に熱圧成形により得ることができる不燃板で、不燃仕様のものや準不燃仕様のものがある。この火山性ガラス質板も石膏ボードと同様に、不燃仕様のものを使用することが特に好ましい。
【００１６】
第２層の不燃板７は、このような石膏ボードやケイ酸カルシウム板、火山性ガラス質板（ＪＩＳ　Ａ　５４４０「不燃火山性ガラス質複層板」）から用途に応じて適宜選択して使用することができる。
また、この第２層の不燃板７には、例えば第１層の不燃板や第３層の不燃板との接着性を向上させるために、紙質材や不織布等を設けていても構わない。
【００１７】
第２層の不燃板７に上記不燃板１又は不燃板４を貼り合わせるための接着剤としては、酢酸ビニル系エマルジョン、ウレタン系エマルジョン、ＥＶＡ系エマルジョンや、ホットメルト系接着剤等の種々のものを使用することができる。
【００１８】
図６は、本発明の積層不燃板を使用した収納の一実施形態を示す部分模式断面図である。
この例では、側板８も底板９も図４に示した構成の積層不燃板を使用して作製されている。
すなわち側板８と底板９は、それぞれの第１層も第３層もガラス繊維質層／マグネシアセメント層／ガラス繊維質層の構成とした不燃板４であり、第２層の不燃板７を石膏ボードとした積層不燃板として構成した例である。側板８には第１層の不燃板４及び第２層の不燃板７にダボ用の穴を形成し、底板９の第２層の不燃板７の石膏ボードにはダボ用の穴を形成し、それぞれのダボ用穴に接着剤を充填してダボ１０により側板８と底板９を固定する。
この場合、底板９を保持する強度を確保する点から、ダボ用の穴は深めに設けると共に長めのダボ１０を使用することが好ましく、また、収納として必要とされる強度に応じてダボ１０の使用個数を決定することも好ましい。
本発明の積層不燃板であれば、比較的脆い石膏ボードであっても、その両側に堅い第１層及び第３層の不燃板が設けられているために、ダボ用の穴を設けても割れ等を生じることがなく、また、側板８においては堅い第１層の不燃板４によってダボ１０を保持できることから、収納としても十分な強度を得ることができる。
なお、第２層の不燃板７として石膏ボードに替えて火山性ガラス質板を使用することにより、ダボ１０の保持強度がさらに向上するため好ましい。
【００１９】
また、図７に示すように、図６の例の収納に開閉扉を取り付けるために、収納の内側から側板８にネジ１１を使用して蝶番１２をネジ止めしても、側板８の第３層の不燃板４と第２層の不燃板７によりネジ１１を確実に保持することが可能となり、繰り返し扉の開閉を行ってもネジ１１が緩むことなく、扉の落下を防止し、確実に固定することができる。
【００２０】
もちろん側板８、底板９を図３あるいは図５に示した例による積層不燃板を使用することも可能である。
不燃板が少なくともメラミン樹脂層／水酸化アルミニウム層／メラミン樹脂層の構成である場合には、通常メラミン樹脂層は非常に堅いため、例えば蝶番１２を固定するためのネジ１１を直接ネジ込むとメラミン樹脂層が割れることもあるので、ネジ込む前にネジ用の穴を設けることが好ましい。
なお、ガラス繊維質層／マグネシアセメント層／ガラス繊維質層の構成とした不燃板を使用した積層不燃板による場合は、メラミン樹脂層よりも柔らかいために直接ネジ込みを行うことができるので特に好ましい。
このように構成された収納の視認できる面には、所望の化粧層１３を設けることにより意匠性に優れた不燃収納を提供することができる。
【００２１】
図８は、本発明による積層不燃板を使用して、キッチンのフードに隣接する収納とした一例を示す外観図である。
この例の収納の一部（図中の点線の円で囲まれた部分）が、図７で説明した部分である。
【００２２】
【発明の効果】
以上、詳細に説明したように、本発明による積層不燃板を使用することにより収納全体を不燃板により形成でき、しかもダボやネジ止めも可能であるから、不燃性に優れる収納を提供できる。
【図面の簡単な説明】
【図１】本発明に使用される不燃板の一例を示す模式断面図。
【図２】本発明に使用される不燃板の他の例を示す模式断面図。
【図３】本発明の積層不燃板の一実施形態を示す模式断面図。
【図４】本発明の積層不燃板の他の実施形態を示す模式断面図。
【図５】本発明の積層不燃板の他の実施形態を示す模式断面図。
【図６】本発明の積層不燃板を使用した収納の一実施形態を示す部分模式断面図。
【図７】本発明の積層不燃板を使用した収納の他の実施形態を示す部分模式断面図。
【図８】本発明による積層不燃板を使用して、キッチンのフードに隣接する収納とした一例を示す外観図。
【符号の説明】
１　不燃板
２　水酸化アルミニウム層
３　メラミン樹脂層
４　不燃板
５　マグネシアセメント層
６　ガラス繊維質層
７　不燃板
８　側板
９　底板
１０　ダボ
１１　ネジ
１２　蝶番
１３　化粧層
【図１】
2004008448.tif 000003
【図２】
2004008448.tif 000004
【図３】
2004008448.tif 000005
【図４】
2004008448.tif 000006
【図５】
2004008448.tif 000007
【図６】
2004008448.tif 000008
【図７】
2004008448.tif 000009
【図８】
2004008448.tif 000010